(57)【要約】【課題】  本発明は、信頼性の高いコンテンツ紹介情報を容易に生成し提供することができるサーバ装置を提供することを目的とする。【解決手段】  コンテンツ紹介者自身が選択して取得したコンテンツを紹介するウェブサイトのＵＲＬ情報を追加して表示することにより、信頼性の高いコンテンツ紹介情報を容易に生成し提供することができる。【選択図】  図１
2016095760.tif 000002
【特許請求の範囲】
【請求項１】
ソーシャル・ネットワーキング・サービス用サーバ装置、コンテンツ提供者用端末装置、コンテンツ紹介者用端末装置及びコンテンツ取得者用端末装置が接続されたサーバ装置において、
前記コンテンツ提供者用端末装置から提供されたコンテンツと前記コンテンツを紹介するウェブサイトのアドレス情報とを対応付けて記憶すると共に、前記コンテンツ紹介者用端末装置に割り当てられた前記コンテンツ紹介者用端末装置固有のソーシャル・ネットーキング・サービス用識別情報を記憶する記憶部と、
所望のコンテンツの取得を要求するコンテンツ取得要求を前記コンテンツ紹介者用端末装置から受信すると、前記コンテンツを前記記憶部から読み出し前記コンテンツ紹介者用端末装置に送信すると共に、
前記コンテンツを紹介するウェブサイトの前記アドレス情報と、前記コンテンツ紹介者用端末装置固有のソーシャル・ネットワーキング・サービス用識別情報とを前記記憶部から読み出し、これらを前記ソーシャル・ネットワーキング・サービス用サーバ装置に送信することにより、前記ソーシャル・ネットワーキング・サービス用サーバ装置の記憶部のうち、前記コンテンツ紹介者用端末装置に割り当てられている記憶領域に、前記アドレス情報を記憶させ、
前記コンテンツ取得者用端末装置から前記コンテツの取得を要求するコンテンツ取得要求を受信した場合には、前記コンテンツの紹介に応じた対価情報を生成し、これを前記コンテンツ紹介者用端末装置に送信する制御部と
を備えることを特徴とするサーバ装置。
【発明の詳細な説明】
【技術分野】
【０００１】
本発明は、サーバ装置に関する。
【背景技術】
【０００２】
従来、ソーシャル・ネットワーキング・サービス（ＳＮＳ）としては、例えばブログ、ツイッター（登録商標）、フェイスブック（登録商標）など、種々のサービスが世界中で開発され、広く普及している。また、近年では、ソーシャル・ネットワーキング・サービスを利用した種々の広告手法が、提案及び開発されている（例えば、特許文献１参照）。
【先行技術文献】
【特許文献】
【０００３】
【特許文献１】特開２００８−１７１２２３号公報
【発明の概要】
【発明が解決しようとする課題】
【０００４】
本発明は、信頼性の高いコンテンツ紹介情報を容易に生成し提供することができるサーバ装置を提供することを目的とする。
【課題を解決するための手段】
【０００５】
本発明の一態様によるサーバ装置は、
ソーシャル・ネットワーキング・サービス用サーバ装置、コンテンツ提供者用端末装置、コンテンツ紹介者用端末装置及びコンテンツ取得者用端末装置が接続されたサーバ装置において、
前記コンテンツ提供者用端末装置から提供されたコンテンツと前記コンテンツを紹介するウェブサイトのアドレス情報とを対応付けて記憶すると共に、前記コンテンツ紹介者用端末装置に割り当てられた前記コンテンツ紹介者用端末装置固有のソーシャル・ネットーキング・サービス用識別情報を記憶する記憶部と、
所望のコンテンツの取得を要求するコンテンツ取得要求を前記コンテンツ紹介者用端末装置から受信すると、前記コンテンツを前記記憶部から読み出し前記コンテンツ紹介者用端末装置に送信すると共に、
前記コンテンツを紹介するウェブサイトの前記アドレス情報と、前記コンテンツ紹介者用端末装置固有のソーシャル・ネットワーキング・サービス用識別情報とを前記記憶部から読み出し、これらを前記ソーシャル・ネットワーキング・サービス用サーバ装置に送信することにより、前記ソーシャル・ネットワーキング・サービス用サーバ装置の記憶部のうち、前記コンテンツ紹介者用端末装置に割り当てられている記憶領域に、前記アドレス情報を記憶させ、
前記コンテンツ取得者用端末装置から前記コンテツの取得を要求するコンテンツ取得要求を受信した場合には、前記コンテンツの紹介に応じた対価情報を生成し、これを前記コンテンツ紹介者用端末装置に送信する制御部と
を備える。
【発明の効果】
【０００６】
本発明のサーバ装置によれば、信頼性の高いコンテンツ紹介情報を容易に生成し提供することができる。
【図面の簡単な説明】
【０００７】
【図１】本発明の実施の形態によるコンテンツ紹介システムと、当該コンテンツ紹介システムのサーバ装置の構成を示すブロック図である。
【発明を実施するための形態】
【０００８】
以下、本発明の実施の形態について図面を参照して説明する。
【０００９】
図１（ａ）に、本発明の実施の形態によるコンテンツ紹介システム１０の構成を示し、図１（ｂ）に、当該コンテンツ紹介システム１０のサーバ装置２０の詳細な構成を示す。
【００１０】
コンテンツ紹介システム１０は、当該コンテンツ紹介サービスを実現するためのサーバ装置２０と、ソーシャル・ネットワーキング・サービス（ＳＮＳ）用サーバ装置３０と、コンテンツ提供者用端末装置４０と、コンテンツ紹介者用端末装置５０と、コンテンツ取得者用端末装置６０とを有する。
【００１１】
ＳＮＳ用サーバ装置３０は、例えばツイッター（登録商標）やブログサービスなどのソーシャル・ネットワーキング・サービスを運営及び管理するためのサーバ装置である。
【００１２】
サーバ装置２０は、制御部１００と、入力部１１０と、送受信処理部１２０と、表示部１３０と、記憶部１４０とを有する。サーバ装置２０の記憶部１４０には、当該コンテンツ紹介サービスを提供するために必要なソフトウエアが予め記憶されている。制御部１００は、この記憶部１４０に記憶されているソフトウエアを読み出して実行することにより、各部の動作を制御する。
【００１３】
なお、ＳＮＳ用サーバ装置３０、コンテンツ提供者用端末装置４０、コンテンツ紹介者用端末装置５０及びコンテンツ取得者用端末装置６０についても、サーバ装置２０と同様の構成を有する。
【００１４】
ところで、本実施の形態の場合には、コンテンツ紹介者が、ＳＮＳ用サーバ装置３０によって提供されるソーシャル・ネットワーキング・サービスを利用するため、コンテンツ紹介者用端末装置５０を操作し、インターネット回線を介して、直接、ＳＮＳ用サーバ装置３０にアクセスすることにより、コンテンツ紹介者固有のＳＮＳ用識別情報が、ＳＮＳ用サーバ装置３０の記憶部（図示せず）に記憶され、利用者登録が既に行われているものとする。
【００１５】
この状態において、まず、コンテンツ提供者は、サーバ装置２０が提供するコンテンツ紹介サービスを利用できるようにするため、サーバ装置２０に対して利用者登録を行う。
【００１６】
具体的には、コンテンツ提供者がコンテンツ提供者用端末装置４０を操作することにより、コンテンツ提供者情報として、サーバ装置２０を利用するために選定されたコンテンツ提供者固有のシステム用識別情報などを入力すると、コンテンツ提供者用端末装置４０は、このコンテンツ提供者情報をインターネット回線を介してサーバ装置２０に送信する。
【００１７】
サーバ装置２０の制御部１００は、送信されてきたコンテンツ提供者情報を送受信処理部１２０を介して受信すると、これを記憶部１４０に記憶する。
【００１８】
続いて、コンテンツ提供者が、コンテンツ提供者用端末装置４０に保存されている例えば映像や音楽などのコンテンツをサーバ装置２０にアップロードしようとして、コンテンツ提供者用端末装置４０を操作すると、コンテンツ提供者用端末装置４０は、記憶部（図示せず）に記憶されている所望のコンテンツと、当該コンテンツを紹介するウェブサイトのアドレス情報を表すＵＲＬ（Uniform Resource Locator）情報とを、コンテンツ提供者固有のシステム用識別情報と共に、インターネット回線を介してサーバ装置２０に送信する。
【００１９】
サーバ装置２０の制御部１００は、システム用識別情報と共に送信されてきたコンテンツ及びそのＵＲＬ情報を送受信処理部１２０を介して受信すると、記憶部１４０に記憶されているコンテンツ提供者情報の中から、受信したシステム用識別情報を有するコンテンツ提供者情報を検索し、受信したコンテンツ及びそのＵＲＬ情報を当該検索されたコンテンツ提供者情報と対応付けて記憶部１４０に記憶することにより、コンテンツの登録を行う。このようにして、種々のコンテンツが、順次サーバ装置２０の記憶部１４０に記憶及び登録される。
【００２０】
ここで、本実施の形態の場合、コンテンツ紹介者が、サーバ装置２０によって提供されるコンテツ紹介サービスを利用するため、コンテンツ紹介者用端末装置５０を操作すると、コンテンツ紹介者用端末装置５０は、コンテンツ紹介者固有のＳＮＳ用識別情報をインターネット回線を介してサーバ装置２０に送信する。
【００２１】
サーバ装置２０の制御部１００は、送信されてきたコンテンツ紹介者固有のＳＮＳ用識別情報を送受信処理部１２０を介して受信すると、これを記憶部１４０に記憶する。
【００２２】
この状態において、コンテンツ紹介者がコンテンツ紹介者用端末装置５０を操作し、サーバ装置２０にアクセスすると、サーバ装置２０の制御部１００は、記憶部１４０に記憶されている複数のコンテンツのタイトル情報を読み出し、これらをコンテンツ紹介者用端末装置５０に送信することにより、コンテンツのタイトル情報の一覧をコンテンツ紹介者用端末装置５０の表示部（図示せず）に表示させる。
【００２３】
この状態において、コンテンツ紹介者が、コンテンツ紹介者用端末装置５０の表示部（図示せず）に表示されたタイトル情報の一覧の中から所望のタイトルのコンテンツをダウンロードしようとして、当該コンテンツを選択するための選択操作を行うと、コンテンツ紹介者用端末装置５０は、当該コンテンツを選択したことを表すコンテンツ選択情報を生成し、これをインターネット回線を介してサーバ装置２０に送信する。
【００２４】
サーバ装置２０の制御部１００は、送信されてきたコンテンツ選択情報を送受信処理部１２０を介して受信すると、記憶部１４０からコンテンツ選択情報が表すコンテンツを読み出し、これをコンテンツ紹介者用端末装置５０に送信することにより、当該コンテツをコンテンツ紹介者用端末装置５０の記憶部（図示せず）に記憶させる。
【００２５】
これと共に、サーバ装置２０の制御部１００は、記憶部１４０から、当該コンテンツを紹介するウェブサイトのＵＲＬ情報と、コンテンツ紹介者固有のＳＮＳ用識別情報とを読み出し、これらをＳＮＳ用サーバ装置３０に送信することにより、当該コンテンツを紹介するウェブサイトのＵＲＬ情報と、コンテンツ紹介者固有のＳＮＳ用識別情報とを対応付けてＳＮＳ用サーバ装置３０の記憶部（図示せず）に記憶させる。
【００２６】
これにより、ＳＮＳ用サーバ装置３０によって提供されるソーシャル・ネットワーキング・サービス内におけるコンテンツ紹介者のページに、当該コンテンツ紹介者が取得したコンテンツを紹介するウェブサイトのＵＲＬ情報が追加して表示される。
【００２７】
この状態において、コンテンツ取得者が、ＳＮＳ用サーバ装置３０によって提供されるソーシャル・ネットワーキング・サービス内におけるコンテンツ紹介者のページを閲覧するため、コンテンツ取得者用端末装置６０を操作し、インターネット回線を介して、直接、ＳＮＳ用サーバ装置３０にアクセスすると、コンテンツ取得者用端末装置６０は、ＳＮＳ用サーバ装置３０から送信された当該コンテンツ紹介者のページを表示部（図示せず）に表示する。
【００２８】
コテンツ取得者が、コンテンツ取得者用端末装置６０の表示部（図示せず）に表示されたコンテンツ紹介者のページのうち、当該コンテンツ紹介者が取得したコンテンツを紹介するウェブサイトのＵＲＬ情報をクリックして選択すると、コンテンツ取得者用端末装置６０は、コンテンツ紹介要求情報を生成し、これをインターネット回線を介してサーバ装置２０に送信する。
【００２９】
サーバ装置２０の制御部１００は、送信されてきたコンテンツ紹介要求情報を送受信処理部１２０を介して受信すると、当該コンテンツ紹介要求情報によって指定されたコンテツを紹介するためのコンテンツ紹介情報を生成し、これをコンテンツ取得者用端末装置６０に送信することにより、当該コンテンツ紹介情報をコンテンツ取得者用端末装置６０の表示部（図示せず）に表示させる。
【００３０】
コテンツ取得者が、コンテンツ取得者用端末装置６０の表示部（図示せず）に表示されたコンテンツ紹介情報を目視しながら、当該コテンツを取得するための操作を行うと、コンテンツ取得者用端末装置６０は、コンテンツ取得要求情報を生成し、これをインターネット回線を介してサーバ装置２０に送信する。
【００３１】
サーバ装置２０の制御部１００は、送信されてきたコンテンツ取得要求情報を送受信処理部１２０を介して受信すると、コンテンツ取得要求情報によって指定されたコンテンツを記憶部１４０から読み出し、これをコンテンツ取得者用端末装置６０に送信することにより、当該コンテツをコンテンツ取得者用端末装置６０の記憶部（図示せず）に記憶させる。
【００３２】
その際、サーバ装置２０の制御部１００は、コンテンツを紹介したことによる対価情報を生成し、これをコンテンツ紹介者用端末装置５０に送信することにより、当該対価情報をコンテンツ紹介者用端末装置５０の記憶部（図示せず）に記憶させる。
【００３３】
このように本実施の形態によれば、コンテンツ紹介者自身が選択して取得したコンテンツを紹介するウェブサイトのＵＲＬ情報を追加して表示することにより、信頼性の高いコンテンツ紹介情報を容易に生成し提供することができる。
【００３４】
なお、上述の実施の形態においては、記憶部として、記憶部１４０を適用した場合について述べたが、本発明はこれに限らず、コンテンツ提供者用端末装置４０から提供されたコンテンツと当該コンテンツを紹介するウェブサイトのアドレス情報とを対応付けて記憶すると共に、コンテンツ紹介者用端末装置５０に割り当てられたコンテンツ紹介者用端末装置５０固有のソーシャル・ネットーキング・サービス用識別情報を記憶する他の種々の記憶部を適用するようにしても良い。
【００３５】
また、上述の実施の形態においては、制御部として、制御部１００を適用した場合について述べたが、本発明はこれに限らず、所望のコンテンツの取得を要求するコンテンツ取得要求をコンテンツ紹介者用端末装置５０から受信すると、当該コンテンツを記憶部１４０から読み出しコンテンツ紹介者用端末装置５０に送信すると共に、当該コンテンツを紹介するウェブサイトのアドレス情報と、コンテンツ紹介者用端末装置５０固有のソーシャル・ネットワーキング・サービス用識別情報とを記憶部１４０から読み出し、これらをソーシャル・ネットワーキング・サービス用サーバ装置３０に送信することにより、ソーシャル・ネットワーキング・サービス用サーバ装置３０の記憶部（図示せず）のうち、コンテンツ紹介者用端末装置５０に割り当てられている記憶領域に、アドレス情報を記憶させ、コンテンツ取得者用端末装置６０から当該コンテツの取得を要求するコンテンツ取得要求を受信した場合には、当該コンテンツの紹介に応じた対価情報を生成し、これをコンテンツ紹介者用端末装置５０に送信する他の種々の制御部を適用するようにしても良い。
【符号の説明】
【００３６】
１０  コンテンツ紹介システム
２０  サーバ装置
３０  ソーシャル・ネットワーキング・サービス（ＳＮＳ）用サーバ装置
４０  コンテンツ提供者用端末装置
５０  コンテンツ紹介者用端末装置
６０  コンテンツ取得者用端末装置
１００  制御部
１４０  記憶部
【図１】
2016095760.tif 000003